(57)【要約】磁気共鳴画像用の無線コイルシステム（３８）は、夫々が段キャパシタ(６８)を有する複数の並列な相隔たる段を有する。エンドキャップ(６４)は、コイルシステム(３８)の閉鎖端(６６)に配置されている。ＲＦ遮蔽体(６２)は、エンドキャップ(６４)へ接続されており、段（６０）に実質的に平行な方向に広がって段（６０）を囲む。ＲＦコイルシステム（３８）は、バードケージ、ＴＥＭ、バードケージとＴＥＭの組み合わせ、又は他のものとして使用されても良い。
2007511316.tif 000002
【特許請求の範囲】
【請求項１】
磁気共鳴画像用の無線周波数コイルシステムであって：
夫々が段キャパシタを有する複数の並列な相隔たる段；
当該コイルシステムの閉鎖端に配置されたエンドキャップ；及び
該エンドキャップへ接続され、前記段に実質的に平行な方向に広がって前記段を囲むＲＦ遮蔽体；
を有するコイルシステム。
【請求項２】
前記ＲＦ遮蔽体は、人間の視覚の波長範囲において少なくとも部分的な光透過性の特性を有する導電性メッシュ又は他の導電体から部分的又は全体的に構成される、ことを特徴とする請求項１記載のコイルシステム。
【請求項３】
当該コイルシステムの閉鎖端に配置され、前記段へ結合された端部リングを更に有し、
該端部リングは、隣接した段の間にキャパシタを有する、
ことを特徴とする請求項１記載のコイルシステム。
【請求項４】
前記段は、開放端において、前記ＲＦ遮蔽体へ直接的に接続されている、ことを特徴とする請求項３記載のコイルシステム。
【請求項５】
当該コイルシステムの開放端に配置され、前記段へ結合された端部リングを更に有し、
該端部リングは、隣接した段の間にキャパシタを有する。
ことを特徴とする請求項１記載のコイルシステム。
【請求項６】
前記隣接した段の夫々の対は、更に、個々の独立した電流ループ又はメッシュを決めるよう、閉鎖端キャパシタを介して結合される、ことを特徴とする請求項５記載のコイルシステム。
【請求項７】
前記キャパシタは、夫々のループが、選ばれた位相及び振幅特性を有するように、前記電流ループ又はメッシュを分離して、複数の個々の送信／受信チャネルを形成する送信／受信コイル配列を決めるよう選ばれる、ことを特徴とする請求項６記載のコイルシステム。
【請求項８】
前記端部リング及び前記段のうちの少なくとも１つは、前記ＲＦ遮蔽体を流れる電流経路を決めるよう、キャパシタを介して、開放端に隣接するＲＦ遮蔽体へ容量結合される、ことを特徴とする請求項５記載のコイルシステム。
【請求項９】
送信／受信コイル及びボリュームコイルである、ことを特徴とする請求項８記載のコイルシステム。
【請求項１０】
第３の共鳴モードを決めるよう、前記端部リング及び前記段のうちの少なくとも１つの間に接続されたインダクタを更に有する、請求項９記載のコイルシステム。
【請求項１１】
前記段及び端部リングのキャパシタは、当該コイルシステムを：
低域通過モード，
高域通過モード，及び
帯域通過モード，
のうちの１つにある共鳴周波数へと合わせるよう選ばれる、ことを特徴とする請求項５記載のコイルシステム。
【請求項１２】
前記段は、前記エンドキャップへ直接的に接続される、ことを特徴とする請求項１記載のコイルシステム。
【請求項１３】
前記段は、前記ＲＦ遮蔽体へ容量結合される、ことを特徴とする請求項１記載のコイルシステム。
【請求項１４】
前記段の対は、個々のメッシュを決めるよう開放端キャパシタによって結合され、更に：
隣接するメッシュへ結合され、
容量性デカップリング，
誘導性デカップリング，
インピーダンス変圧器，及び
前記個々のメッシュの重複部分，
のうちの１つを有する結合；
を有する、ことを特徴とする請求項１記載のコイルシステム。
【請求項１５】
前記段キャパシタ、前記開放端キャパシタ及び前記結合によって、ボリュームモード及びセンス（ＳＥＮＳＥ）モードのうちの一方へ合わせられる、ことを特徴とする請求項１４記載のコイルシステム。
【請求項１６】
前記結合は、前記ボリュームモードと前記センスモードとの間を選択的に切り替えるためのスイッチング部品を有する、ことを特徴とする請求項１５記載のコイルシステム。
【請求項１７】
夫々の段は、前記エンドキャップへ直接的に接続され、
夫々のメッシュは、当該コイルシステムの開放端に配置された端部リングキャパシタを有する、
ことを特徴とする請求項１６記載のコイルシステム。
【請求項１８】
夫々のメッシュの段の夫々の対は、更に、個々の独立した電流ループを決めるよう、閉鎖端キャパシタによって結合される、ことを特徴とする請求項１７記載のコイルシステム。
【請求項１９】
当該コイルシステムの開放端へ、帯域通過モードを決めるよう、隣接した段の間に開放端キャパシタを有する端部リングを結合するステップ、
を有する請求項１記載のコイルシステムを用いる方法。
【請求項２０】
個々の独立した電流ループを決めるよう、閉鎖端キャパシタを介して、隣接した段の夫々の対を結合するステップ；及び
前記電流ループを分離して送信／受信コイル配列を決めるよう、ストリップ及び開放端キャパシタを釣り合わせるステップ；
を更に有する、請求項１９記載の方法。
【請求項２１】
前記ＲＦ遮蔽体を流れる電流経路を決めるよう、キャパシタを介して、開放端に隣接する前記ＲＦ遮蔽体へ、前記端部リング及び前記段のうちの少なくとも１つを容量結合するステップ；及び
二重共鳴モードを決めるよう、高い共鳴周波数へと前記キャパシタを合わせるステップ；
を更に有し、
前記コイルシステムは、送信／受信コイル及びボリュームコイルである、
ことを特徴とする請求項１９記載の方法。
【請求項２２】
個々のメッシュを決めるよう、開放端キャパシタによって前記段の対を結合するステップ；並びに
容量性結合，
誘導性結合，及び
インピーダンス変圧器，及び
前記個々のメッシュの重複部分，
のうちの１つによって、隣接するメッシュを結合するステップ；
を更に有する、請求項１９記載の方法。
【請求項２３】
前記段キャパシタ、前記開放端キャパシタ、及び前記結合によって、前記コイルシステムをボリュームモード及びセンスモードのうちの一方へと合わせるステップを更に有する、請求項１９記載の方法。
【請求項２４】
メイン磁場を作り出す磁石；
前記メイン磁場への磁場傾斜を作るよう配置された複数の磁場傾斜コイル；及び
請求項１記載の無線周波数コイルシステム；
を有し、
前記段は、前記メイン磁場に実質的に平行な方向に広がっている、
ことを特徴とする磁気共鳴画像スキャナ。
【発明の詳細な説明】
【技術分野】
【０００１】
本発明は、磁気共鳴技術に関する。それは、超高磁場磁気共鳴画像（ＭＲＩ）における特定の利用を考え、特にそれに関して記述する。しかし、また、磁気共鳴分光法、低磁場画像及び同様のもののような他の磁気共鳴アプリケーションにおける利用も考えられる。
【背景技術】
【０００２】
従来、磁気共鳴画像スキャナは、メイン磁石、通常は超電導体を有している。メイン磁石は、検査部位を通る空間的及び時間的に一定の磁場Ｂ０を発生させる。例えば、全身コイル、頭部コイル、及び同様のもののような無線周波数（ＲＦ）コイル並びに送信器は、磁場Ｂ０において撮像されるように、双極子の共鳴周波数へと合わせられてきた。コイル及び送信器は、しばしば、これら双極子を励起して操るために使用されてきた。空間情報は、磁場Ｂ０に加えて様々な方向で検査部位を横切る磁場傾斜を作るよう傾斜コイルを電流により駆動することによって、エンコードされている。磁気共鳴信号は、同一又は別個の受信専用ＲＦコイルによって取得され、ＲＦ受信器によって復調されて、フィルターをかけられて、サンプリングされ、最後に、ある専用の又は汎用のハードウェア上で画像に再構成されている。
【０００３】
ＭＲＩにおいて、ＲＦコイルは、核スピンを励起して、それらからの信号を検出するための磁場Ｂ１を発生させるために使用される。ＲＦコイルの２つの形式、即ち、バードケージ及びＴＥＭ（Ｔｒａｎｓｖｅｒｓｅ  ＥｌｅｃｔｒｏＭａｇｎｅｔｉｃ）コイルは、撮像のために幅広く用いられている。バードケージコイルは、メイン磁場方向に平行に広がって、検査部位の周囲に配置されている複数の導電体の段を有する。並行導体段は、コイルの一端ではエンドキャップ又はリングを介して互いに、他端では環状ループ導電体に接続されている。電流は、段、エンドキャップ及びループを、順方向及び逆方向に往復して流れる。バードケージの共鳴動作は、並行導体及び環状ループ導電体の中に配置されたキャパシタ素子によって決められる。バードケージコイルは、３Ｔのメイン磁場Ｂ０でのプロトン撮像に対応する約１２８ＭＨｚ又はそれより低い周波数で、その内部において実質的に均一な磁場分布を示す。しかし、超高磁場アプリケーション（Ｂ０＞３Ｔ）では、バードケージコイルの利用は、ＭＲシステムのボア内部の伝搬効果と、組織の強い負荷効果とによって、放射損失に関して制限される。
【０００４】
放射損失の問題は、ＲＦボアの直径を小さくすることによって解決可能である。従来の直径０．７ｍを有するボアの遮断周波数は、２５９ＭＨｚである。従って、開放型ボードケージは、７Ｔにある全身用ＭＲＩでは使用不可能である。なお、プロトン共鳴は２９８ＭＨｚであり、半波長ではより一層小さい。ボアの直径を縮小化は、遮断周波数を増大させるが、ＲＦ渦電流による組織への強い結合（〜ω２）が依然として根本的な問題である。非対称な対象負荷によって生ずる導電体の誘導インピーダンスは、強い磁場Ｂ１非均一性を発生させうる。患者負荷を対称に保つことは、ＲＦコイルがより小さくなり、対象により近く付くので、更に難しくなっている。
【０００５】
バードケージコイルと同様に、ＴＥＭコイルは、検査部位の周りに配置された並行導体を有する。ＴＥＭコイルは、通常、両端を開放されており、エンドキャップ及び環状ループ導電体のいずれも欠いている。ＴＥＭコイルは、通常、外部ＲＦ電流リターン経路を有する。ＴＥＭコイルは、より高い周波数アプリケーション（Ｂ０＞３Ｔ）に関して、放射損失がより少ないために、バードケージコイルに比べて改善された無線周波数性能を提供する。しかし、ＴＥＭコイルは、幾つかの欠点を有する。例えば、ＴＥＭコイルは、電磁場の観点からは漏洩しやすく、浮遊ＲＦ磁場を発生させる。バードケージコイルは、ｚ軸方向に、より良い磁場Ｂ１均一性を有する。
【発明の開示】
【発明が解決しようとする課題】
【０００６】
高周波アプリケーションにおいて良好なＲＦ特性を提供する超高周波（ＳＨＦ）コイルシステムが必要である。本発明は、上記及び他の問題を解決する、改善された撮像装置及び改善された方法を提供することを目的とする。
【課題を解決するための手段】
【０００７】
本発明の１つの態様に従って、磁気共鳴画像用の無線周波数コイルシステムが開示される。当該コイルシステムは、夫々が段キャパシタを有する複数の並列な相隔たる段；当該コイルシステムの閉鎖端に配置されたエンドキャップ；及び該エンドキャップへ接続され、前記段に実質的に平行な方向に広がって前記段を囲むＲＦ遮蔽体；を有する。
【０００８】
本発明の他の態様に従って、当該コイルシステムを使用する方法が開示される。当該コイルシステムは、夫々が段キャパシタを有する複数の並列な相隔たる段；当該コイルシステムの閉鎖端に配置されたエンドキャップ；及び該エンドキャップへ接続され、前記段に実質的に平行な方向に広がって前記段を囲むＲＦ遮蔽体；を有する。
【発明の効果】
【０００９】
本発明の１つの利点は、超高周波でバードケージ状構造を用いる際に均一な磁場を提供することにある。
【００１０】
他の利点は、帯域通過送信／受信コイル配列として機能するその能力にある。
【００１１】
他の利点は、その拡張性にある。
【００１２】
他の利点は、それがＴＥＭコイル及びバードケージコイルの特性を有することにある。
【００１３】
他の利点は、二重共鳴コイルシステムを提供するよう構成されるその能力にある。
【００１４】
本発明の更なる利点は、以下の詳細な記述を読んで理解することで当業者に理解されうる。
【発明を実施するための最良の形態】
【００１５】
本発明は、様々な構成要素及び構成要素の配置と、様々なステップ及びステップの配置とを具体化しうる。図面は、好ましい実施例を説明する目的のために過ぎず、本発明を限定するものではない。
【００１６】
図１を参照すると、磁気共鳴画像スキャナ１０は、その内部に関連撮像対象１６が配置された一様に円筒形のスキャナボア１４を定める筐体１２を有する。メイン磁石、即ちメイン磁場コイル２０は、スキャナボア１４の中心軸２２に平行に位置するｚ軸に沿う方向を有するメイン磁場Ｂ０を作るよう、好ましい高い磁場の実施例において、一様なソレノイド構造に配置されている。メイン磁場コイル２０は、通常、低温隔壁２４の内部に配置された超電導コイルであるが、常電導メイン磁石が用いられても良い。
【００１７】
筐体１２は、また、ｚ軸に平行に、（例えば、直交するｘ及びｙ方向に平行であるように）ｚ軸を横断する面内方向に平行に、又は他の選ばれた方向に平行に、磁場傾斜を選択的に作り出すために、磁場傾斜コイル３０を収容又は支持する。筐体１２は、また、磁気共鳴を選択的に励磁及び／又は検出するために、高周波全身ＲＦ（無線周波数）コイル３２を収容又は支持する。筐体１２は、通常、スキャナボア１４を定める表面的な内部ライナー３４を有する。全身無線周波数コイル３２に加えて、１又はそれ以上のＲＦコイル４０を有する高周波頭部ＲＦコイルシステム３８が配置される。以下で詳細に述べるように、高周波全身及び頭部ＲＦコイルは、バードケージ、ＴＥＭ、ハイブリッド、バードケージとＴＥＭコイルとの組み合わせ、又は他の実施例を有する。コイルシステム３８は、望ましくは、環状に円筒形であるが、当然のことながら、例えば、楕円断面、半円断面、半楕円断面、及びそれらと同様のもののように、他の形状を有しうる。
【００１８】
メイン磁場コイル２０は、例えば７．０Ｔといった、望ましくは３．０Ｔより大きいメイン磁場Ｂ０をｚ軸方向に作り出す。シーケンス制御器４２は、磁場傾斜コイル３０を選択的に作動させるよう傾斜制御器４４を動作させ、無線周波数コイル３２、４０の一方又は両方を作動させるよう無線周波数コイル３２、４０のうちの１又はそれ以上へ結合された無線周波数送信器４６を動作させる。磁場傾斜コイル３０と１又はそれ以上の無線周波数コイル３２、４０とを選択的に動作させることによって、磁気共鳴が、撮像対象１６の関心のある選択部位の少なくとも一部で発生し、空間的にエンコードされる。無線周波数受信器４８、又は、センス（ＳＥＮＳＥ）モードにおいては、夫々のセンスチャネル用の受信器は、ｋ空間メモリ５０で記憶されるエンコードされた磁気共鳴ｋ空間サンプルを受信するよう、無線周波数コイル３２、４０のうちの１又はそれ以上へ結合されている。
【００１９】
再構成処理装置５２は、撮像対象の関心のある部位の少なくとも一部を含む再構成されたボリューム画像表示へとｋ空間サンプルを再構成するよう、例えば、逆フーリエ変換再構成アルゴリズム、センスアルゴリズム、又は同様のもののように、適切な再構成アルゴリズムを適用する。再構成された画像表示は、画像メモリ５４に電子的に記憶され、ユーザインターフェース５６に表示され、不揮発性メモリに記憶され、ローカルイントラネット又はインターネットにより送信され、あるいは別なふうに表示、記憶、操作等をなされる。ユーザインターフェース５６は、また、放射線科医、技術者、又は磁気共鳴画像スキャナ１０の他の操作者が、磁気共鳴画像シーケンスを選択、変更及び実行するようシーケンス制御器４２と通信することを可能にする。
【００２０】
図２及び３を参照すると、ＲＦコイル４０は、メイン磁場Ｂ０に平行なｚ軸で縦方向に広がる、複数の相隔たる並行導体、即ち段又はストリップ６０を有する。段６０は、プリント回路基板、銅ホイル及び導電性ロッド等から作られ、一実施例では、可変な大きさ及び幅を有する円弧を有する。段６０は、図２では、点線でｚ軸方向に示されている。例えばループセンサのような局部的なＲＦ磁場検出器（図示せず。）が、コイル電流を測定するよう、コイルに接続されている。一様に円筒形の無線周波数スクリーン又は遮蔽体６２は、ストリップ６０を囲む。渦電流を最小限にするよう、望ましくは、ＲＦスクリーン６２は、細長い溝を作られたホイル、メッシュ、又は同様のものである。導電性エンドキャップ６４は、コイルシステム３８の端面６６に配置されている。図２において、直交ｘ−ｙ−ｚ座標は、図１に示した円筒形のスキャナボア１４内のコイルシステム３８の空間的定位に対応して示されている。しかし、コイルシステム３８が他の方向で用いられても良いことは明らかである。
【００２１】
図４を参照すると、コイル４０のバードケージ実施例において、夫々の個々のストリップ６０は、複数のストリップ共鳴周波数同調キャパシタ６８を有し、エンドキャップ６４へ接続されている。エンドキャップ６４は、段のリターン経路を定める。望ましくは、キャパシタは、伝搬効果を妨げるよう、ストリップ６０に平行な集中及び／又は分割ＰＣＢ設計である。エンドキャップ６４は、バードケージコイル４０が超高周波で動作することを可能にするＲＦスクリーン６２へ直接的に接続されている。夫々のストリップ６０は、銅リング７０へ接続されている。銅リング７０は、コイルシステム端面６６の反対に位置するコイルシステム３８の上面７２に配置されている。２つの隣接するストリップ６０の夫々は、電流経路を決めるよう、リング７０に沿って配置された端部同調キャパシタ７４によって結合されている。ストリップ及びリングの両方にキャパシタを有する図４のコイルは、概して、帯域通過コイルとして動作する。リング７０のストリップ６０又は円弧部分が誘導的に動作するか否かに依存して、帯域通過コイル４０は、高域通過型又は低域通過型コイルとして動作しうる。低域通過型は、ストリップ６０のストリップキャパシタ６８がエンドキャパシタ７４よりもずっと高い値を有する場合に形成され、従って、端部リング７０の円弧部分は誘導性を示し、一方、ストリップ６０は、容量性を示す。高域通過型は、ストリップ６０のキャパシタ６８が端部キャパシタ７４よりもずっと低い値を有する場合に形成され、従って、端部リング７０の円弧部分は、容量性を示し、一方、ストリップ６０は、誘導性を示す。帯域通過型に関しては、キャパシタ６８、７４は、高域通過又は低域通過のいずれの動作も現れないように釣り合わされる。
【００２２】
図５を参照すると、ＲＦコイル４０は、図４のコイルに類似する。上面７２は開かれている。個々のストリップ６０は、上面７２において（点線７６で示された）ＲＦスクリーン６２へ直接的に接続されている。夫々のストリップ６０は、銅リング７８へ接続されている。銅リング７８は、コイルシステム上面７２の反対に位置するコイルシステム３８の端面６６に配置されている。２つの隣接するストリップ６０の夫々は、電流経路を決めるよう、リング７８に沿って配置された閉鎖端同調キャパシタ８０によって結合されている。このような構造は、上面７２付近で、ｚ軸方向の磁場成分Ｂ１のＲＦ成分を低減し、ひいては、コイルのこの部位においてＳＡＲを低減する。
【００２３】
図６及び７を参照すると、個々のストリップ６０は、夫々が異なった位相受信特性を有する個々のメッシュ８２内に配置されている。夫々のメッシュ８２は、開放端面７２において夫々２つのストリップ６０の間に接続された端部キャパシタ７４を介して結合された２つのストリップ６０を有する。メッシュ８２のＲＦ電流は、個々の端部リング円弧８４を介して流れる。端部リング円弧８４は、ＲＦスクリーン６２へ直接的には接続されていない。メッシュ８２は、個々の送信／受信チャネルを提供するよう、望ましくは容量性又は誘導性インピーダンス回路である結合８６によって、受信器４８と、随意的に送信器４６とに結合されている。更に、個々のメッシュの間のインピーダンス回路の使用により、相互誘導は、より高いモード分離と、非対称性及び重い患者負荷に対するより良いロバスト性とを提供するよう増大しうる。一実施例において、結合８６は、図８に示すインピーダンス変圧器８８を有する。インピーダンス変圧器８８は、個々のメッシュ８２の間の相互磁気結合を制御する。結合８６は、図６及び７のコイル４０が、バードケージコイルのような円偏向ＲＦ磁場Ｂ１を発生させるボリュームコイルとして、又は例えばセンスコイルのような送信／受信配列として動作することができるように、調節可能である。このような送信／受信配列は、円偏向ＲＦ磁場を発生させることができ、更に、全てのモードパターンを網羅し、ＲＦシミングに必要とされる個々のＲＦ磁場均一性を生ずることができる。能動スイッチング部品（図示せず。）は、望ましくは、ボリュームモードコイルから送信／受信モードコイルへと切り替えるようキャパシタ（６８、７４）を切り替えるために使用される。切替えは、コイルを交換する必要性を伴わずに行われる。
【００２４】
図７を参照すると、個々のメッシュ８２は、個々の完全ループ９０内に配置されている。完全ループ９０は、エンドキャップ又はＲＦ遮蔽体へ直接的には結合されていない。開放端キャパシタ７４を介して結合されている夫々のストリップ６０に加えて、夫々の２つのストリップは、また、閉鎖端キャパシタ８０を介して結合されている。図７のコイル構造では、ＲＦスクリーン６２は、コイル４０へ直接的には接続されていない。
【００２５】
図９を参照すると、分離されたメッシュの他の構造が示されている。図９において、個々のメッシュ８２は、望ましくは、相互誘導結合を最小限にする程度に、互いに重なり合わされている。
【００２６】
図１０を参照すると、表されたコイル４０は、ＲＦスクリーン６２内部に配置された帯域通過バードケージコイルである。隣接する段６０は、リング７０に配置された開放端キャパシタ７４と、閉鎖端キャパシタ８０とを介して結合されている。キャパシタ７４、６８の容量比は、電流ループを分離するよう選ばれる。コイル４０は、代替的に、送信／受信配列として使用可能であって、夫々の個々のコイル円弧は、個々の送信／受信チャネルへ接続されている。夫々の送信／受信チャネルは、望ましくは、完全に制御可能な個々の位相及び振幅を有する。図１０のコイルシステムは、高周波アプリケーションに対して、幾何学的な開放性と優れたＲＦ特性とを提供する。
【００２７】
図１１を参照すると、コイル４０は、二重共鳴ＲＦコイル共鳴器である。共鳴器の静電容量は、共鳴器が、１つの双極子の共鳴周波数ではバードケージ帯域通過コイルとして、他の双極子の共鳴周波数ではＴＥＭコイルとして機能するように、選ばれる。夫々の段６０は、エンドキャップ６４と、更に、開放端７２にある端部リング７０とへ接続されている。段６０の夫々の対は、開放端キャパシタ７４により結合されている。開放端キャパシタ７４は、端部リング７０に沿って配置されている。キャパシタ９２は、端部リング７０上の接続ノード９８とＲＦスクリーン６２との間に接続されており、ＲＦスクリーン６２を通る整調可能な電流経路を生成する。キャパシタ９２を通る電流経路は、より高い共鳴周波数でＴＥＭ共鳴モードへ、及びより低い周波数で回転磁場Ｂ１帯域通過モードへと合わせられる。例えば、ＴＥＭモードは、プロトン（１Ｈ）共鳴周波数へと合わせられ、帯域通過モードは、ホスホン（３１Ｐ）共鳴周波数へと合わせられる。
【００２８】
図１２に示された一実施例において、三重共鳴ＲＦコイル共鳴器は、キャパシタ９２に並列に接続された集中インダクタ１００により構成されている。インダクタ１００は、第３の共鳴モードを発生させる。
【００２９】
図１３に示された二重共鳴ＲＦコイル共鳴器では、キャパシタ９２は、ＲＦスクリーン６２を通る電流経路を提供し、第２の共鳴モードを調整するように、段６０沿いにある少なくとも１つの点１０２と、ＲＦスクリーン６２との間に接続されている。
【００３０】
以上、本発明について、好ましい実施例を参照して説明した。明らかに、上記詳細な説明を読んで、理解することで、変形及び代替がなされることが可能である。本発明は、添付の特許請求の範囲又はそれと等価なものの主旨を損なわない範囲で、このような変形及び変更を行うことが可能である。
【図面の簡単な説明】
【００３１】
【図１】本発明に従う磁気共鳴画像システムの概略図である。
【図２】図１のコイルシステムの端面の概略図である。
【図３】図１のコイルシステムの側面の概略図である。
【図４】図１のコイルシステムの遮蔽されたバードケージコイルの実施例の電気接続の概略図である。
【図５】上部に開放端リングを有する図１のコイルシステムの遮蔽されたバードケージコイルの実施例の電気接続の概略図である。
【図６】別のメッシュを含む図１のコイルシステムの共鳴器の実施例の電気接続の概略図である。
【図７】結合及び減結合回路網を有する個々のメッシュを含む図１のコイルシステムの共鳴器の実施例の電気接続の概略図である。
【図８】図１のコイルシステムとの結合／分離を制御するインピーダンス変圧器の概略図である。
【図９】重複によって分離される個々のメッシュを含む図１のコイルシステムの共鳴器の実施例の電気接続の概略図である。
【図１０】図１のコイルシステムの帯域通過バードケージコイルの実施例の電気接続の概略図である。
【図１１】図１のコイルシステムの二重共鳴ＲＦコイル共鳴器の実施例の電気接続の概略図である。
【図１２】図１のコイルシステムの三重共鳴ＲＦコイル共鳴器の実施例の電気接続の概略図である。
【図１３】図１のコイルシステムの二重共鳴ＲＦコイル共鳴器の実施例の電気接続の概略図である。
【図１】
2007511316.tif 000003
【図２】
2007511316.tif 000004
【図３】
2007511316.tif 000005
【図４】
2007511316.tif 000006
【図５】
2007511316.tif 000007
【図６】
2007511316.tif 000008
【図７】
2007511316.tif 000009
【図８】
2007511316.tif 000010
【図９】
2007511316.tif 000011
【図１０】
2007511316.tif 000012
【図１１】
2007511316.tif 000013
【図１２】
2007511316.tif 000014
【図１３】
2007511316.tif 000015
【国際調査報告】
2007511316.tif 000016
2007511316.tif 000017
2007511316.tif 000018